(57)【要約】【課題】便器の側面もしくは下面には固定部形状を必ず要する構造であるので、連続した便器外観表面を形成することができず、水洗便器のデザイン外観に制約となると共に、その部分の清掃性も良くないという問題があった。【解決手段】便器１の固定は全てキャビネット前面パネル２ａの後方にて行なわれるため、使用者が固定金具８あるいは９を目視することなく、使用することができる。したがって、外観に凹凸がない、すっきりとしたデザインを提供することが可能であるとともに、段差がなくなるための清掃性向上が図れる。【選択図】　図１
2004108014.tif 000002
【特許請求の範囲】
【請求項１】
床面より離れた状態で設置される水洗便器において、前記水洗便器の後方に位置する後壁より後側に固定部を有することを特徴とするする水洗便器。
【請求項２】
前記固定部が前記水洗便器の上方に位置することを特徴とする請求項１記載の水洗便器。
【請求項３】
前記固定部が陶器を貫通する穴であることを特徴とする請求項１乃至２記載の水洗便器。
【請求項４】
前記後壁がキャビネットの前面であり、前記固定穴が前記キャビネットの内部に位置することを特徴とする請求項１乃至３記載の水洗便器。
【請求項５】
前記固定部が前記水洗便器と前記キャビネットが接触する部分より外面に広がっていることを特徴とする請求項１乃至４記載の水洗便器。
【請求項６】
前記キャビネット内に前記水洗便器を載置する載置台を有し、前記載置台に前記水洗便器の下端が接していることを特徴とする請求項１乃至５記載の水洗便器。
【発明の詳細な説明】
【０００１】
【発明の属する技術分野】
本発明は、床面より離れた状態で設置される水洗便器に関する。
【０００２】
【従来の技術】
従来の床面より離れた状態で設置される便器の固定方法は、便器の背側面に取付けボルト用の穴が構成され、ボルトとナットとで壁や床などに固定されたフレームに固定されている（例えば、特許文献１参照。）
【０００３】
図６に示す従来例では、水洗便器１０１はキャビネット１０２に固定ボルト１０３にて固定されている。固定ボルト１０３は水洗便器１０１の背面側縦面に位置する固定穴１０４に挿入されており、固定作業は水洗便器１０１の後方側面より工具を使用して行われている。
【０００４】
【特許文献１】
実開平２−５４８８４号公報（第１０頁、第２図）
【０００５】
【発明が解決しようとする課題】
したがって、便器の側面もしくは下面には固定部形状を必ず要する構造であるので、連続した便器外観表面を形成することができず、水洗便器のデザイン外観に制約となると共に、その部分の清掃性も良くないという問題があった。
【０００６】
また、固定作業は便器リム面より下の部分での施工になるため、屈み込んでの取付け作業を余儀無くされ施工がややりにくかった。
【０００７】
本発明は、上記問題を解決するためになされたもので、本発明の目的は、固定部を上面に設定する事によって、施工性向上・取付け強度の向上・デザイン性向上・清掃性向上した水洗便器を提供することにある。
【０００８】
【課題を解決するための手段】
上記目的を達成するために、請求項１では、前記水洗便器の後方に位置する後壁より後側に固定部を有することを特徴とする。
【０００９】
本発明によれば、壁面より前方に便器固定部が現れることなく、デザイン性向上および清掃性向上の効果を有する。
【００１０】
請求項２では、固定部が水洗便器の上方に位置することを特徴とする。
本発明によれば、便器固定作業を上方から行なう事ができるため、施工性向上の効果を有する。
【００１１】
請求項３では、固定部が陶器を貫通する穴であることを特徴とする。
水洗便器にあらかじめ固定用の穴があいているので、施工の際に固定ボルトを穴に通した後、工具を使用して本固定が出来るので施工を容易に行うことができる。
【００１２】
請求項４では、後壁がキャビネットの前面であり、固定穴がキャビネットの内部に位置することを特徴とする。
【００１３】
本発明によれば、固定穴がキャビネットの内部にあるので、キャビネットの前面パネルを施工する前に水洗便器側から容易に施工を行うことができる。
【００１４】
請求項５では、固定部が水洗便器とキャビネットが接触する部分より外面に広がっていることを特徴とする。
【００１５】
本発明によれば、キャビネット側から進入する異物、例えば水などが容易にキャビネット内に進入することを防ぐことができるので、キャビネット内部を常に清潔な状態に保つことができる。
【００１６】
請求項６では、キャビネット内に水洗便器を載置する載置台を有し、載置台に水洗便器の下端が接していることを特徴とする。
【００１７】
本発明によれば、便器の前方にかかる荷重を、デザイン性を損なう事無く、下方部から受ける事ができるため、破損の原因となりうる応力集中を大幅に軽減することができる。
【００１８】
【発明の実施の形態】
以下、図面によって発明内容を説明する。
第１図は、本発明の第一実施形態を示す概略側面図である。
便器１は、後方部１ａがキャビネット２の前面パネル２ａを貫通し、後方部１ａの上部および下部に固定穴１３および１４が形成されている。キャビネット２はトイレルームの壁面１０に接する形で設置されており、キャビネット２内に設置された便器固定フレーム３は床面７に固定ボルト６にて固定されている。
【００１９】
また、後方部１ａでは、固定穴１３にボルト・ナット等の固定金具８が、固定穴１４に固定金具９が便器固定フレーム３に強固に固定されている。したがって、便器１の固定は全てキャビネット前面パネル２ａの後方にて行なわれるため、使用者が固定金具８あるいは９を目視することなく、使用することができる。したがって、外観に凹凸がない、すっきりとしたデザインを提供することが可能であるとともに、段差がなくなるための清掃性向上が図れる。
【００２０】
また、前面パネル２ａの下端は便器１の上面より下に位置するので、前面パネル２ａの下端を目視する必要が無くなり、外観性が向上する。
【００２１】
次に、第一実施形態の第一変形例を示す。
第２図は、第１図のＡ部の変形例を示した図である。前後方向へ複数列の固定金具８を配列することによって、便器１への荷重によるモーメントを分散させることができるので、耐過重性能を向上させることができる。
【００２２】
次に、第一実施形態の第二変形例を示す。
第３図は、第１図のＡ部の変形例を示した図である。第３図では、便器１の下部１ｂおよび下端１ｃに接触するように積載台９が図示しない固定ボルトにて設置されている。したがって、便器１にかかった荷重は便器固定フレーム３のみでなく、床面７に分散するので、便器１の耐荷重性能を向上させることができる。
【００２３】
下部１ｂは便器１垂直下方向の荷重を、下端１ｃは便器１に荷重がかかった時に生じる水平後方向へのモーメント１５を支えている。また、固定金具８には積載台９の先端９ａを基点に上方へ生じるモーメント１６を支えれば良いので、固定金具８の下面でそのモーメント１６を受ける構造、即ち固定穴を有さない取付け構造となっている。
【００２４】
また、当構造では便器１の下部１ｂの取付けにおいて、その締め付け作業が無くなり、固定作業が軽減される効果もある。
【００２５】
次に、第一実施形態の第三変形例を示す。
第４図は、第二変形例の変形例であり、便器１は固定金具８と共に壁面１０への固定金具１７にも固定されている。このため、便器１にかかった荷重をさらに分散させることができるので、耐荷重性能を向上させることができる。また、当変形例においても第二変形例と同様に、下部１ｂにて便器取付け作業という困難な作業は発生しない。
【００２６】
次に、本発明の第二実施形態を示す。
第５図は、本発明の第二実施形態を示す概略側面図である。
便器１は床面７に防水パン１２が引かれているトイレルームに設置されおり、便器１の後方上部１ｄは前面パネル２ａの下端２ｂより高い位置に位置している。したがって、異物、例えばトイレルームを水で洗浄する際に生じる水滴がキャビネット２内に進入することを防ぐ構造となっており、後方上部１ｄによって返された水滴を防水パン１２に導くことができる。
【００２７】
また、清掃性という面において、防水パンとの組み合わせはあくまで一つの例であって、抗菌性・防水性を有する前面パネルや天板や床タイルとの組み合わせ、あるいは速乾性の床材・壁材との組み合わせ等、本発明での応用でトイレルーム空間全体の清掃性向上においても提供が可能になる。
【図面の簡単な説明】
【図１】本発明の第一実施形態を示す概略側面図である。
【図２】第一実施形態の第一変形例を示す概略図である。
【図３】第一実施形態の第二変形例を示す概略図である。
【図４】第一実施形態の第三変形例を示す概略図である。
【図５】本発明の第二実施形態を示す概略側面図である。
【図６】従来の実施形態を示す概略図である。
【符号の説明】
１…便器
２…キャビネット前面パネル
３…便器固定フレーム
４…　キャビネット天板
５…洗浄タンク
６…フレーム固定金具
７…床面
８…便器固定金具
９…便器固定金具
１０…壁面
１１…壁への固定金具
１２…床防水パン
１３、１４…固定穴
１５…水平後方へのモーメント
１６…上方へのモーメント
１７…固定金具
【図１】
2004108014.tif 000003
【図２】
2004108014.tif 000004
【図３】
2004108014.tif 000005
【図４】
2004108014.tif 000006
【図５】
2004108014.tif 000007
【図６】
2004108014.tif 000008